(57)【要約】【課題】パソコン上に手軽に誰でも安価に短時間で図形、絵図を作成できる用具を提供する点にある。【解決手段】パソコンの画面の前面に透明な素材にプリントされた希望する図形又は絵図のテンプレートをテンプレート保持用ツールによりセットしオートシェイプ機能を使用して透明なテンプレートの背景から見えるオートシェイプのポイントマークをテンプレートにプリントされている図形又は絵図に沿って点と線又は面を描いていくことによりパソコン上に希望したモデルと同様の図形又は絵図を作成することができる。【選択図】図１
2009104269.tif 000002
【特許請求の範囲】
【請求項１】
パソコン画面の表面に透明な図形又は絵図をプリントしたテンプレートをセットしオートシェイプ機能を使用して短時間でパソコン上に図形を作成することを特徴とするパソコン用図形作成キット。
【請求項２】
パソコン本体に付属している開閉ストッパーに吊るす事により上下方向の固定をし、パソコン画面のサイドのふちに沿わせることで横方向の固定を行い前後方向はパソコン画面の傾斜及びテンプレート保持用ツールとパソコン画面との間に生じる静電気による吸着で固定されるテンプレート保持用ツールを使用することを特徴とするパソコン用図形作成キット。
【請求項３】
透明な素材に図形又は絵図のプリントをするだけでテンプレートを簡単に数多く製作、使用できることを特徴とするパソコン用図形作成キット。
【発明の詳細な説明】
【技術分野】
【０００１】
本発明は、簡単にパソコン上に図形を作成する用具に関するものである。
【背景技術】
【０００２】
パソコン上に図形、絵図を作成する方法としてはオートシェイプ機能を駆使するかＣＡＤソフトを使用するか絵図作成機能を設けた特殊なマウスを使用する等があるが何れも不慣れな人がいきなり使用してうまく図形、絵図が作成できるようなものではない。
【０００３】
特殊なマウスについては実際にトレースを行うセンサ部分と目安とするガイド部分の位置が同一ではない為マウスの操作によってモデルとなる絵図、又は図形とパソコン上に作成される絵図、図形の間にズレが生じる、又パソコンの画面を見ないでモデルの方に視点がおかれている為、正常にモデルと同じものがパソコン上に作成されているかどうかは作業が終了してからにならなければ判らないため結果的に非効率的になってしまう。
【０００４】
又、上記に述べた様な方法はオートシェイプ機能の使用を除いては経済的なことを考えると手軽に使用できるようなものではない。
【０００５】
次にオートシェイプ機能のみを使用しての３次元画像の作成や絵図の作成となると一般的にはかなりの訓練と時間をかけなければできるものではない。
【０００６】
【特許文献１】特開平１０−１８７３４６
【特許文献２】登録実用第３０５３３４８号
【特許文献３】実開平６−８６１３５
【発明の開示】
【発明が解決しようとする課題】
【０００７】
解決しようとする問題点は、手軽に誰でも安価に短時間で図形、絵図を作成できる用具を提供する点にある。
【課題を解決するための手段】
【０００８】
本発明は、パソコンの画面の前面に透明な希望する図形又は絵図モデルがプリントされているテンプレートをテンプレート保持用ツールによりセットする。
【０００９】
次にオートシェイプ機能を使用して透明なテンプレートの背景から見えるオートシェイプのポイントマークをテンプレートにプリントされている図形又は絵図の点と線又は面に沿って操作し描いていくことによりパソコン上に希望したモデルと同様の図形又は絵図を作成することができる。
【００１０】
図形、絵図のモデルはテンプレートの数を増すことにより、いくらでも増やすことが可能である。
【００１１】
希望したモデルがテンプレートの端にある場合はテンプレートを横方向に移動させて作図しやすい位置にセットし、上下方向の作図位置の調整はパソコンの画面をスクロールさせることにより行う。
【発明の効果】
【００１２】
本発明のパソコン用図形作成キットは、数多くの図形、絵図モデルをプリントされたテンプレートを提供する事により、特殊で高価なマウスの使用やＣＡＤ等の高価なソフトを使用することなく数多いテンプレートのモデルの中から希望するモデルを選択してパソコン画面の表面にセットしてオートシェイプ機能を使用し、点と線と面でトレースしていく事により簡単にパソコン上に図形、絵図を作成していく事ができる。
【発明を実施するための最良の形態】
【００１３】
パソコンの画面の前面に透明なテンプレートをテンプレート保持用ツールによりセットしオートシェイプ機能を使用して透明なテンプレートの背景から見えるオートシェイプのポイントマークをクリックし点と線と面に沿って操作し描いていくことによりパソコン上に希望したモデルと同様の図形又は絵図を作成する。
【実施例】
【００１４】
図１は、本発明の実施例の正面図であって、符号１〜６は、図２と同様である。
【００１５】
希望したモデル（１−Ｆ）がプリントされたテンプレート１をテンプレート保持用ツール２によりパソコン画面の表面３にセットする。尚テンプレート保持用ツール２はパソコン本体５に付属している開閉ストッパー５aに吊るす事により上下方向の固定をし、パソコン画面８のサイドのふちに沿わせることで横方向の固定を行う。又前後方向はパソコン画面８の傾斜及びテンプレート保持用ツール２とパソコン画面８との間に生じる静電気による吸着で固定される。
【００１６】
オートシェイプ機能を使用してテンプレートの背後に見えるポイントマーク７をクリックしながらテンプレート１にプリントされた希望したモデル（１−Ｆ）４をトレースしパソコン上に図形、又は絵図を作成する。
【００１７】
又、希望したモデルが（１−Ｆ）４ではなく、モデル（１−Ｅ）４a 等のようにパソコン画面に描きたい位置とセットされた時の位置が左右にずれている場合はテンプレート１を横方向にスライドさせ、上下方向にずれている場合はパソコン画面をスクロールさせ位置調整を行い、希望したモデルが現在のテンプレート１に無い場合は他のテンプレートを選択し、テンプレート１の差換えを行い使用する。
【００１８】
図２は本発明の側面図でパソコン本体５、開閉ストッパー５a 、キーボード６、テンプレートのガイド２a の配置とテンプレート保持用ツール２とテンプレート１との関係を示す。
【００１９】
図３はパソコン用図形作成キットの中に一定枚数のテンプレートを準備してある状態を示す。
【産業上の利用可能性】
【００２０】
透明な素材にさまざまな画像をプリントしたテンプレートを製作するだけでオートシェイプの機能を使用し作成が困難であった図形、絵図が安価で簡単に誰でも作成可能となりパソコン用図形作成用具として使用できる。
【図面の簡単な説明】
【００２１】
【図１】パソコン用図形作成キット正面図である。
【図２】パソコン用図形作成キット側面図である。
【図３】パソコン用図形作成キットに準備した一定枚数のテンプレートの図である
【符号の説明】
【００２２】
１    テンプレート（１）
１a   テンプレート（２）
１b   テンプレート（３）
１c   テンプレート（４）
１d   テンプレート（５）
２    テンプレート保持用ツール
２a   テンプレートのガイド
３    パソコン画面の表面
４    テンプレートにプリントされたモデル（１−Ｆ）
４a   テンプレートにプリントされたモデル（１−Ｅ）
５    パソコン本体
５a   開閉ストッパー
６    キーボード
７    ポイントマーク
８    パソコン画面
【図１】
2009104269.tif 000003
【図２】
2009104269.tif 000004
【図３】
2009104269.tif 000005